(57)【要約】【課題】  本発明の課題は、記録媒体の搬送詰まりを容易に解消できる記録装置を得ることにある。【解決手段】  筐体本体１ａと、筐体本体１ａ内に設けた内側フレーム１ｂとを備え、内側フレーム１ｂはインクを記録媒体１５に噴射するプリントヘッド１０と、プリントヘッド１０を搭載して主走査方向に往復移動するキャリッジ１１と、副走査方向に記録媒体１５を搬送する搬送部（送りローラ）１８とを備え、筐体本体１ａには装置外の電源に接続した外部接続部１３が設けられており、内側フレーム１ｂは外部接続部１３に対して接離自在に設けた。【選択図】      図１
2006231646.tif 000002
【特許請求の範囲】
【請求項１】
筐体本体と、筐体本体内に設けた内側フレームとを備え、内側フレームはインクを記録媒体に噴射するプリントヘッドと、プリントヘッドを搭載して主走査方向に往復移動するキャリッジと、副走査方向に記録媒体を搬送する搬送部とを備え、筐体本体には装置外の電源に接続した外部接続部が設けられており、内側フレームは外部接続部に対して接離自在であることを特徴とする記録装置。
【請求項２】
内側フレームは筐体本体に対して出し入れ自在に支持されていることを特徴とする請求項１に記載の記録装置。
【請求項３】
内側フレームは外部接続部と電気的に接続するコネクタを備え、内側フレームの開閉動作に連動してコネクタと外部接続部とが接離自在になっていることを特徴とする請求項２に記載の記録装置。
【請求項４】
筐体本体は前面カバーを備え、コネクタは前面カバーに設けてあり、外部接続部は筐体本体の前面に設けてあり、前面カバーの開閉動作に連動してコネクタと外部接続部とが接離自在であることを特徴とする請求項３に記載の記録装置。
【請求項５】
外部接続部は筐体本体の底部の内側面に設けてあり、コネクタは内側フレームの底部の外側面に設けてあり、内側フレームの出し入れ動作に連動してコネクタと外部接続部とが接離自在であることを特徴とする請求項３に記載の記録装置。
【請求項６】
筐体本体には内側フレームの移動方向に沿ってガイドレールが設けられており、内側フレームにはガイドレールに案内される案内部材が設けられていることを特徴とする請求項１から５の何れか一項に記載の記録装置。
【請求項７】
内側フレームを引き出した状態において、記録装置全体の重心位置が筐体本体側にあることを特徴とする請求項１〜６の何れか一項に記載の記録装置。
【発明の詳細な説明】
【技術分野】
【０００１】
本発明は、記録装置に関する。
【背景技術】
【０００２】
一般に、記録装置の一つであるインクジェットプリンタは、主走査方向に往復移動するキャリッジに搭載されたプリントヘッドと、副走査方向に印刷用紙を間欠的に設定量ずつ搬送する搬送部を備え、記録媒体を副走査方向に搬送しつつプリントヘッドを主走査方向に移動させ、プリントヘッドから記録媒体にインク滴を吐出して情報を記録するように構成されている。
【０００３】
インクジェットプリンタのタイプとしては、記録媒体をプリンタ本体の背面側に配設されているトレイに収納してプリンタ本体の前面側に配設されているスタッカに排紙する背面給紙タイプと、記録媒体をプリンタ本体の前面側にて抜き差し可能なトレイに収納してプリンタ本体の前面側に配設されているスタッカに排紙する前面給紙タイプがある。
【０００４】
特許文献１には、前面給紙タイプのインクジェット装置において、筐体本体上面をフラットにし、装置本体の前面側にトレイ挿入口を設けた技術が開示されている。
【０００５】
【特許文献１】特開２００２−２９２９７１号公報
【発明の開示】
【発明が解決しようとする課題】
【０００６】
特許文献１に記載の従来技術は、搬送経路内で紙詰まりが発生した場合、トレイ挿入口から手を入れて記録媒体を取り除く必要があるが、トレイ挿入口は狭いため、装置の奥側で紙詰まりが起きた場合には、手を差し入れて記録媒体を外部に引っ張り出すことは困難であった。そのため、装置本体を一旦設置場所から移動させてから記録媒体を取り除く作業が必要であり、その際には装置の分解を伴う作業も必要になる場合もあり、作業者に負担を強いている。
【０００７】
また、上面がフラットであるので、装置の上面に他の電子機器を搭載して使用する場合が多い。この場合には、他の電子機器を移動させる必要があり作業が煩雑である。さらには、装置の背面に電源や映像出力端子、コンピュータとの接続端子が設けられており、またそれらの接続端子からはその他の機器あるいはコンセントに接続するためのケーブル類が這い回されているので、機器を移動させるにはこれらのケーブルを抜き差ししなければならなかった。
【０００８】
本発明は記録媒体の搬送詰まりを容易に解消できる記録装置を得ることを目的とする。
【課題を解決するための手段】
【０００９】
前記課題を解決するために、請求項１に記載された発明は、筐体本体と、筐体本体内に設けた内側フレームとを備え、内側フレームはインクを記録媒体に噴射するプリントヘッドと、プリントヘッドを搭載して主走査方向に往復移動するキャリッジと、副走査方向に記録媒体を搬送する搬送部とを備え、筐体本体には装置外の電源に接続した外部接続部が設けられており、内側フレームは外部接続部に対して接離自在であることを特徴とする。
【００１０】
請求項２に記載された発明は、請求項１に記載された発明において、内側フレームは筐体本体に対して出し入れ自在に支持されていることを特徴とする。
【００１１】
請求項３に記載された発明は、請求項２に記載された発明において、内側フレームは外部接続部と電気的に接続するコネクタを備え、内側フレームの開閉動作に連動してコネクタと外部接続部とが接離自在になっていることを特徴とする。
【００１２】
請求項４に記載された発明は、請求項３に記載の発明において、筐体本体は前面カバーを備え、コネクタは前面カバーに設けてあり、外部接続部は筐体本体の前面に設けてあり、前面カバーの開閉動作に連動してコネクタと外部接続部とが接離自在であることを特徴とする。
【００１３】
請求項５に記載された発明は、請求項３に記載の発明において、外部接続部は筐体本体の底部の内側面に設けてあり、コネクタは内側フレームの底部の外側面に設けてあり、内側フレームの出し入れ動作に連動してコネクタと外部接続部とが接離自在であることを特徴とする。
【００１４】
請求項６に記載された発明は、請求項１〜５の何れか一項に記載された発明において、筐体本体には内側フレームの移動方向に沿ってガイドレールが設けられており、内側フレームにはガイドレールに案内される案内部材が設けられていることを特徴とする。
【００１５】
請求項７に記載された発明は、請求項１〜６の何れか一項に記載された発明において、
内側フレームを引き出した状態において、記録装置全体の重心位置が筐体本体側にあることを特徴とする。
【発明の効果】
【００１６】
本発明によれば、筐体本体内に設けた内側フレームが筐体本体に設けた外部接続部に対して接離可能であるので、電源コードをはじめとする種々のケーブルを抜き差しすることなく、記録媒体の搬送詰まりを容易に解消できる。
【発明を実施するための最良の形態】
【００１７】
以下に、添付図面を参照して、本発明の実施の形態を詳細に説明する。図１は第１実施形態に係る記録装置を概略的に示す図であり、内側フレームを引き出した状態を示す断面図、図２は図１に示す記録装置の平面図、図３は第１実施形態に係る記録装置を正面から見た断面図、図４は第１実施形態に係る記録装置の平面図、図５は未使用時における記録装置を側面から見た断面図、図６は使用時における記録装置を側面から見た断面図、図７は第１実施形態に係る記録装置を概略的に示す図であり、（ａ）は用紙詰まりを除去する状態を示す断面図、（ｂ）は（ａ）の平面図である。
【００１８】
本実施の形態に係る記録装置は、インクジェットプリンタ１であり扁平型の直方体形状を成している。インクジェットプリンタ１は箱型の筐体本体１ａと、筐体本体１ａに対して引き出し可能な内側フレーム１ｂとを備え、内側フレーム１ｂはインクを用紙（記録媒体）１５に噴射するプリントヘッド１０と、プリントヘッド１０を搭載して主走査方向に往復移動するキャリッジ１１と、副走査方向に記録媒体を搬送する搬送部（送りローラ）１８とを備えている。
【００１９】
プリントヘッド１０はＢｋ、Ｍ、Ｃ、Ｙに対応して４つのヘッド１０ｂ、１０ｍ、１０ｃ、１０ｙを備えており、キャリッジ１１に搭載されガイドロットに固定され主走査モータによって往復駆動する。プリントヘッド１０の下部には用紙１５を下面より支えるプラテン４が設けられている。プラテン４の下部には廃液吸収体５が設置されており、ふちなし印刷等で用紙１５に吐出されなかったインクを吸収する。また、装置の端部側にはヘッド維持装置６が設けられており、プリントヘッド１０の未使用時にはヘッド部分がヘッド維持装置６で覆われてヘッド部分を保護している。また、インク充填時やクリーニング動作時にもヘッド部分がヘッド維持装置６に当接して吸引ポンプによってヘッド内のインクを吸い出す動作をする。この維持装置６によって吸い出されたインクも廃液吸収体５に吸収される。尚、装置上部にはインクタンク２０ｂ、２０ｍ、２０ｃ、２０ｙが設けられており、プリンタヘッド１０とチューブで接続されている。
【００２０】
内側フレーム１ｂは用紙１５を収納する給紙トレイ７を備えている。給紙トレイ７には用紙１５の搬送方向前端を斜め上方に持ち上げるホッパ１６を備えており、積層収納された用紙１５を１枚ずつプラテン４側に供給するようになっている。また、ホッパ１６の上端部には給紙ローラ１７が設けられており、給紙ローラ１７により１枚ずつプラテン４側に送られた用紙１５は、送りローラ１８によってさらにプラテン４の上側に引き出され、プリントヘッド１０によって画像が記録され、排紙ローラ１９によって排紙側に引き出される。
【００２１】
筐体本体１ａの前側には前面カバー８が設けられており、前面カバー８には操作ボタンや引き出しレバー等が設けられており、これらのボタンやレバーを操作して、インクジェットプリンタ１を操作している。プリント時には、前面カバー８の一部がさらに前面に倒れて図６に示す状態になり、印刷された用紙１５がこの部分にスタックされる構成となっている。
【００２２】
内側フレーム１ｂ内には電気的処理をおこなう集積回路、メモリ、その他の素子が搭載されたメインボード１４が設けられており、インクジェットプリンタ１の制御部となっている。メインボード１４にはコネクタ１２が設けられており、コネクタ１２と筐体本体１ａの背面に形成された外部接続端子１３とが接続することで、インクジェットプリンタ１内に電気が供給される。
【００２３】
筐体本体１ａには内側フレーム１ｂの移動方向に沿ってガイドレール３が形成されており、内側フレーム１ｂ側に設けられた案内部材２１がガイドレール３に沿って案内されて、内側フレーム１ｂが筐体本体１ａから引き出し及び収納自在になっている。
【００２４】
次に、本実施の形態に係るインクジェットプリンタの作用及び効果を説明する。パーソナルコンピュータ等の外部装置から印刷開始の制御信号を受けると、給紙トレイ７から用紙が１枚ずつ給紙される。搬送される用紙１５に対して、主走査方向に往復移動するキャリッジ１１に搭載されたプリントヘッド１０から所定のインクが噴射され、用紙１５に画像が形成される。
【００２５】
インクジェットプリンタ１内において、用紙詰まりが起きた場合には、図７に示すように、筐体本体１ａの前面カバー８を開き、内側フレーム１ｂを手前側に向けて引くと、メインボード１４のコネクタ１２と筐体本体１ａの外部接続端子１３との接続が外れ、内側フレーム１ｂを筐体本体１ａから引きだすことができる。また、給紙トレイ７においても内側フレーム１ｂに対して手前側に引き出すことができる。このように、内側フレーム１ｂを筐体本体１ａから引き出すことで、図７（ａ）に示すように矢印の上下方向どちらにも十分な空間が確保され、作業者は容易にエラーを起こした用紙１５を取り除くことができる。
【００２６】
このように、本実施の形態では給紙トレイ７やヘッドユニット１０を含む内側フレーム１ｂが、筐体本体１ａに対して分離可能であるので、電源コードをはじめとする種々のケーブルを抜き差しすることなく、用紙詰まりを容易に解消することができる。
【００２７】
また、内側フレーム１ｂが筐体本体１ａに対して接離可能であるので、インクジェットプリンタ１の上下にその他の機器を置いた場合であっても、これらの機器を移動させることなく、容易に用紙つまりを解消することができる。その際、背面に接続された種々の配線は筐体本体１ａに接続されており、内側フレーム１ｂとはコネクタ１２を介して接続されているため、その都度配線を抜き差しする必要も無く作業が簡易にできる。
【００２８】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。図８に示すように第２実施の形態では、外部接続端子１３に接続されるコネクタ１２を前面側に設けている点で第１実施の形態と異なっている。図８に示すように、前面カバー８の裏面にコネクタ１２を設け、外部接続端子１３には延長ケーブル３０を設けている。そして、前面カバー８を閉じると延長ケーブル３０の先端に設けた給電端子３０ａと内側フレーム１ｂのメインボード１４とが電気的に接続するようになっている。
【００２９】
このように、コネクタ１２を前面カバー８に設けてあるので、視覚的に確認しやすくコネクタ接続が出来るため、接続不良を起こす可能性が低く、また接続自体も容易に行うことができる。
【００３０】
次に図９を用いて第３実施の形態について説明する。第３実施の形態では、コネクタ１２を内側フレーム１ｂの底部の外側面に設けてあり、外部接続端子１３からの延長された給電部を筐体本体１ａの底部の内側面に設けてある。また、筐体本体１ａに設けたガイドレール３は背面側の端部３ａが斜め下方に折れ曲がった構成となっており、ガイドレール３に沿って内側フレーム１ｂをスライドさせると、内側フレーム１ｂが下に沈みこみ、コネクタ１２が給電端子３０ａと接続するようになっている。内側フレーム１ｂが下に沈みこんだときに、コネクタ１２が給電端子３０ａと接続されるので、内側フレーム１ｂの自重でもって接続でき、接続不良を引き起こす可能性を低くできると共に作業者にとっても操作しやすい。
【００３１】
尚、本発明は上述した実施の形態に限定されず、その要旨を逸脱しない範囲で種々の変形が可能である。図１０に示すように、筐体本体１ａの外部接続端子１３と内側フレーム１ｂのメインボード１４とは完全に分離される必要はなく、ケーブル４０によって接続されていればよい。この場合、ケーブル４０は内側フレーム１ｂを筐体本体１ａから引き出すのに十分な長さを持ちさえすればよい。
【００３２】
図１１に示す実施例では、内側フレーム１ｂを筐体本体１ａから引き出した状態で、装置全体の重心が一点鎖線３５よりも矢印側にあるように構成されている。このような構成とすることで、内側フレーム１ｂを引き出した状態であっても装置全体が安定して座することができ、記録媒体エラーをより容易に解決することが可能となる。
【００３３】
図１２に示す実施例では、コネクタ１２の形状を略台形としてある。このように、コネクタ１２の形状を略台形とすることで、多少の左右方向のずれがあってもスムーズな接続が可能である。
【図面の簡単な説明】
【００３４】
【図１】第１実施形態に係る記録装置を概略的に示す図であり、内側フレームを引き出した状態を示す断面図である。
【図２】図１に示す記録装置の平面図である。
【図３】第１実施形態に係る記録装置を正面から見た断面図である。
【図４】第１実施形態に係る記録装置の平面図である。
【図５】未使用時における記録装置を側面から見た断面図である。
【図６】使用時における記録装置を側面から見た断面図である。
【図７】第１実施形態に係る記録装置を概略的に示す図であり、（ａ）は用紙詰まりを除去する状態を示す断面図、（ｂ）は（ａ）の平面図である。
【図８】第２実施形態に係る記録装置を示す断面図であり、（ａ）は前面カバーを開いた状態を示す図、（ｂ）は前面カバーを閉じた状態を示す図である。
【図９】第３実施形態に係る記録装置を示す断面図であり、（ａ）は内側フレームが引き出された状態を示す図、（ｂ）は内側フレームが収納された状態を示す図である。
【図１０】変形例に係る記録装置を示す断面図であり、（ａ）は内側フレームが収納された状態を示す図、（ｂ）は内側フレームを引き出した状態を示す図である。
【図１１】変形例に係る記録装置を示す断面図である。
【図１２】変形例に係るコネクタの形状を示す断面図である。
【符号の説明】
【００３５】
１      インクジェットプリンタ（記録装置）
１ａ    筐体本体
１ｂ    内側フレーム
３      ガイドレール
８      前面カバー
１１    キャリッジ
１２    コネクタ
１３    外部接続端子
２１    案内部材
【図１】
2006231646.tif 000003
【図２】
2006231646.tif 000004
【図３】
2006231646.tif 000005
【図４】
2006231646.tif 000006
【図５】
2006231646.tif 000007
【図６】
2006231646.tif 000008
【図７】
2006231646.tif 000009
【図８】
2006231646.tif 000010
【図９】
2006231646.tif 000011
【図１０】
2006231646.tif 000012
【図１１】
2006231646.tif 000013
【図１２】
2006231646.tif 000014